(57)【要約】【課題】  簡単に暗証番号を入力可能な携帯電話装置を提供する。【解決手段】  携帯電話のテンキーを配置した領域に、ユーザが指をなぞることにより文字を入力可能な接触感知センサを配置し、キーロックを解除する為の暗証番号を登録する際に、ユーザが接触感知センサ上を図５の（ａ）〜（ｄ）に示すように一筆書きでなぞると、その形状がメモリに格納され、暗証番号の登録が完了する。ユーザがキーロックを解除する際には、登録された形状となるように、接触感知センサをなぞることにより、キーロックが解除される。【選択図】      図５
2008124525.tif 000002
【特許請求の範囲】
【請求項１】
接触感知センサと、該接触感知センサ上をなぞられた形を記憶する記憶手段と、特定の機能の実行を禁止する禁止手段と、
前記禁止手段が特定の機能の実行を禁止している状態で、前記記憶手段に記憶されている形と同一の一筆書きの形が前記接触感知センサから入力されたと判定すると、前記特定の機能の実行を許可するよう制御する制御手段と、を有することを特徴とする入力装置。
【請求項２】
接触感知センサと、該接触感知センサ上でなぞられた一筆書きの形に基づいて該当する数字を判定する数字判定手段と、数字を記憶する記憶手段と、特定の機能の実行を禁止する禁止手段と、
前記禁止手段が特定の機能の実行を禁止している状態で、前記接触感知センサ上でなぞられた一筆書きの形に基づいて前記数字判定手段が数字を判定し、該判定された数字と同一の数字が前記記憶手段に記憶されている場合に、前記特定機能の実行禁止を解除するよう制御する制御手段と、を有することを特徴とする入力装置。
【請求項３】
接触感知センサと、該接触感知センサ上でなぞられた一筆書きの形に基づいて該当する文字を判定する文字判定手段と、文字を記憶する記憶手段と、特定の機能の実行を禁止する禁止手段と、
前記禁止手段が特定の機能の実行を禁止している状態で、前記接触感知センサ上でなぞられた一筆書きの形に基づいて前記文字判定手段が文字を判定し、該判定された文字と同一の文字が前記記憶手段に記憶されている場合に、前記特定機能の実行禁止を解除するよう制御する制御手段と、を有することを特徴とする入力装置。
【請求項４】
接触感知センサと、該接触感知センサ上でなぞられた一筆書きの形に基づいて該当する記号を判定する記号判定手段と、記号を記憶する記憶手段と、特定の機能の実行を禁止する禁止手段と、
前記禁止手段が特定の機能の実行を禁止している状態で、前記接触感知センサ上でなぞられた一筆書きの形に基づいて前記記号判定手段が記号を判定し、該判定された記号と同一の記号が前記記憶手段に記憶されている場合に、前記特定機能の実行禁止を解除するよう制御する制御手段と、を有することを特徴とする入力装置。
【請求項５】
接触感知センサと、該接触感知センサ上をなぞられた一筆書きの形を記憶する記憶手段と、特定の機能の実行を禁止する禁止手段と、
前記禁止手段が特定の機能の実行を禁止している状態で、前記記憶手段に記憶されている一筆書きの形と同一の形が前記接触感知センサから入力されたと判定すると、前記特定の機能の実行を許可するよう制御する制御手段と、を有する入力装置を備えたことを特徴とする携帯電話装置。
【請求項６】
接触感知センサと、該接触感知センサ上をなぞられた一筆書きの形を記憶する記憶手段と、キー操作を禁止するキー操作禁止手段と、
前記禁止手段が特定の機能の実行を禁止している状態で、前記記憶手段に記憶されている一筆書きの形と同一の形が前記接触感知センサから入力されたと判定すると、前記キー操作を許可するよう制御する制御手段と、を有する入力装置を備えたことを特徴とする携帯電話装置。
【発明の詳細な説明】
【技術分野】
【０００１】
本発明は、暗証番号等を入力する為の入力装置及びその入力装置を備えた携帯電話装置、特に操作部の表面に接触検知センサが設けられた携帯電話装置に関する。
【背景技術】
【０００２】
銀行等に置いているＡＴＭ等は、通常カード挿入後暗証番号を入力することにより現金が引き出される。しかしながら、暗証番号を入力する際に、横或いは後ろから見ることにより容易に暗証番号が他人に知られてしまう。
このようなことを回避する為にさまざまな技術が提案されており、例えば特開２０００−９９８０１号公報（特許文献１）には、テンキーの各数字キーの位置をランダムに変更する技術が開示されている。
【特許文献１】特開２０００−９９８０１号公報
【発明の開示】
【発明が解決しようとする課題】
【０００３】
しかしながら、このような技術を用いたとしても、ユーザが暗証番号を入力する際に、他人がパネルに表示されている数字を見ることにより、どの数字が押されたかを知ることができる。
携帯電話のキーロック機能を解除する際にも同様に、他人がキーロック番号の押下操作を盗み見ることによりキーロック番号を知ることが可能である。
このような問題を解決する為に、出願人は、特願２００５−３０６７８５において、指を接触検知センサ上でなぞることにより、暗証番号を入力する装置を提案した。しかしながら、この技術はなぞられた形のデータを保存し、一致する形が入力されれば禁止していた機能を解除するものである為、複雑な形が暗証番号として登録されれば、容易に禁止していた機能を解除できないことがある。
【課題を解決するための手段】
【０００４】
本願発明は、このような課題を解決する為のものであり、請求項１記載の入力装置は、接触感知センサと、該接触感知センサ上をなぞられた形を記憶する記憶手段と、特定の機能の実行を禁止する禁止手段と、前記禁止手段が特定の機能の実行を禁止している状態で、前記記憶手段に記憶されている形と同一の一筆書きの形が前記接触感知センサから入力されたと判定すると、前記特定の機能の実行を許可するよう制御する制御手段と、を有することを特徴とする。
請求項２記載の入力装置は、接触感知センサと、該接触感知センサ上でなぞられた一筆書きの形に基づいて該当する数字を判定する数字判定手段と、数字を記憶する記憶手段と、特定の機能の実行を禁止する禁止手段と、前記禁止手段が特定の機能の実行を禁止している状態で、前記接触感知センサ上でなぞられた一筆書きの形に基づいて前記数字判定手段が数字を判定し、該判定された数字と同一の数字が前記記憶手段に記憶されている場合に、前記特定機能の実行禁止を解除するよう制御する制御手段と、を有することを特徴とする。
請求項３記載の入力装置は、接触感知センサと、該接触感知センサ上でなぞられた一筆書きの形に基づいて該当する文字を判定する文字判定手段と、文字を記憶する記憶手段と、特定の機能の実行を禁止する禁止手段と、前記禁止手段が特定の機能の実行を禁止している状態で、前記接触感知センサ上でなぞられた一筆書きの形に基づいて前記文字判定手段が文字を判定し、該判定された文字と同一の文字が前記記憶手段に記憶されている場合に、前記特定機能の実行禁止を解除するよう制御する制御手段と、を有することを特徴とする。
請求項４記載の入力装置は、接触感知センサと、該接触感知センサ上でなぞられた一筆書きの形に基づいて該当する記号を判定する記号判定手段と、記号を記憶する記憶手段と、特定の機能の実行を禁止する禁止手段と、前記禁止手段が特定の機能の実行を禁止している状態で、前記接触感知センサ上でなぞられた一筆書きの形に基づいて前記記号判定手段が記号を判定し、該判定された記号と同一の記号が前記記憶手段に記憶されている場合に、前記特定機能の実行禁止を解除するよう制御する制御手段と、を有することを特徴とする。
請求項５記載の携帯電話装置は、接触感知センサと、該接触感知センサ上をなぞられた一筆書きの形を記憶する記憶手段と、特定の機能の実行を禁止する禁止手段と、前記禁止手段が特定の機能の実行を禁止している状態で、前記記憶手段に記憶されている一筆書きの形と同一の形が前記接触感知センサから入力されたと判定すると、前記特定の機能の実行を許可するよう制御する制御手段と、を有する入力装置を備えたことを特徴とする。
請求項６記載の携帯電話装置は、接触感知センサと、該接触感知センサ上をなぞられた一筆書きの形を記憶する記憶手段と、キー操作を禁止するキー操作禁止手段と、前記禁止手段が特定の機能の実行を禁止している状態で、前記記憶手段に記憶されている一筆書きの形と同一の形が前記接触感知センサから入力されたと判定すると、前記キー操作を許可するよう制御する制御手段と、を有する入力装置を備えたことを特徴とする。
【発明の効果】
【０００５】
本発明によれば、ユーザが接触感知センサ上をなぞるだけで、特定機能の実行禁止を解除することが可能である為、従来のテンキーを用いた暗証番号入力に比べ、容易に暗証番号を入力することができる。特に、携帯電話でキーロック機能を用いた場合、通話や電話帳閲覧、メール機能等を実行する際に、直ちにキーロックを解除できるという効果を奏するものである。又、１つの暗証番号を入力するのに、２タッチ以上必要な構成よりも、一筆書きの方が入力ミスが少なくて済む。
【発明を実施するための最良の形態】
【０００６】
次に、本発明の一実施形態に係る携帯電話装置について、図面を参照して説明する。
図１は本実施例装置である携帯電話装置の斜視図である。本実施例装置は、テンキー４８といった通常のキー操作部以外に、ユーザが指で触れることにより操作可能な接触検知センサ５６も搭載している、又、前記接触検知センサ５６は、テンキー４８及びテンキー４８の周囲の領域に配置されている。
図２は、本実施例の使用形態を示す斜視図である。ユーザは、テンキー４８及びその周辺に配置されている接触検知センサ５６（図２の点線で囲っている部分）を指でなぞることにより、入力操作を行うことが可能である。
図３に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
また、制御回路３６には、入力部４４が接続されている。この入力部４４は、電話番号等の入力を行うテンキー４８と、通話の開始を操作する通話キー５０と、通話の終了を操作する切キー５２と、ＯＫキー５４と、クリアキー５５と、を有している。
ここで、テンキー４８には、１〜９の各入力ボタンと、♯ボタンと、＊ボタン（本実施形態では１２個のボタンとなる）とが含まれる。また、図４に示すように全てのテンキー４８の表面と、テンキー４８周辺の筐体表面には、ユーザが接触したことを検知する接触検知センサ５６が設けられている。この接触検知センサ５６は、従来から知られているものであり、例えば、透明電極等が用いられている。この接触検知センサ５６は、回路基板５８に形成された配線パターンと電気的に接続されており（図示せず）、更に、回路基板５８は制御回路３６と電気的に接続されている。この為、ユーザが接触検知センサ５６に触れたことを示す信号は、接触検知センサ５６、回路基板５８、を介して制御回路３６へ入力される。
尚、本実施例装置では、接触検知センサ５６を筐体表面に配置しているが、筐体及びキー４８の裏面側のように筐体内部に配置しても良い。例えば、静電容量検知型の接触検知センサであれば、筐体内部に配置することが可能である。
また、制御回路３６には、所定の色のＬＥＤ素子を備えた照明部４６が接続されている。照明部４６のＬＥＤ素子の発光により、ディスプレイ（表示部）４２が所定の色に施される。
ＲＡＭ４０には、暗証番号データが４桁格納される。
制御回路３６内部には接触検知センサ５６から入力された暗証番号を一時的に格納する第１バッファ７１と第２バッファ７２とを有している。詳細な動作説明については後ほど説明する。
本実施例装置はこのような構成である。次に、図３に示す構成の携帯電話装置の実施例の動作について以下に説明する。
本実施例では、ユーザが接触検知センサ５６を用いて４桁の暗証番号を入力することにより、キーロックをオン（又はオフ）操作可能としている。例えば、図５は接触検知センサ５６の使用形態を示す図であるが、図５に示すように、ユーザが接触検知センサ５６上をなぞることにより、暗証番号（例えば、１２３４）の入力が行われる。
次に暗証番号の登録を行う際の動作について説明する。図６は、暗証番号の登録を行う際の動作を示すフロー図である。
図６のＳ１ステップでは、制御回路３６は、入力部４４から暗証番号の登録動作を開始するよう指示があると判定すると、Ｓ２ステップへ処理を進める。
Ｓ２ステップでは、制御回路３６は、情報の初期化を行う。例えば、制御回路３６内部に搭載されている第１バッファ７１をクリアし、Ｓ３ステップへ処理を進める。
Ｓ３ステップでは、制御回路３６は、入力部４４の操作があると判定するとＳ６ステップへ処理を進め、接触検知センサ５６から入力操作があると判定するとＳ４ステップへ処理を進める。
Ｓ４ステップでは、ユーザが接触検知センサ５６上をなぞった一筆書きの形状（例えば、線や数字の形状）を制御回路３６の第１バッファ７１に一時的に格納する。具体的には、制御回路３６は、接触検知センサ５６から、指が触れた最初のポイントから指が離れるまで接触検知センサ５６上をなぞられた形状のデータを入力し、第１バッファに格納する。例えば、図５の（ａ）に示すような「１」の数字がなぞられたらと判定すると、一筆書きで書かれた「１」の文字の形状のデータを制御回路３６の第1バッファ７１に格納する
続くＳ５ステップでは、制御回路３６は、上記Ｓ４ステップで格納した一筆書きの形状（例えば、線や数字の形状）をディスプレイ４２に表示させ、続いてユーザのキー操作により１桁の形状の登録が完了し、Ｓ３ステップへ処理を戻す。
このように、Ｓ３〜Ｓ５ステップを繰り返す度に、図５（ａ）〜（ｄ）に示すように、１桁ずつ一筆書きの形状のデータ（例えば、線や数字の形状）が入力されると共に１桁ずつディスプレイ４２に切換え表示される、更に入力された形状のデータ（例えば、線や数字の形状）は第１バッファ７１に格納される。この為、Ｓ３〜Ｓ５ステップが４回繰り返されると、第１バッファ７１には４つの一筆書きの形状のデータ（例えば４桁の暗証番号）が格納されることとなる。
Ｓ６ステップでは、制御回路３６は、前記Ｓ３ステップで入力されたキーが、クリアキー５５であると判定するとＳ２ステップへ処理を戻し、そうでなければＳ７ステップへ処理を進める。
Ｓ７ステップでは、制御回路３６は、前記Ｓ３ステップで入力されたキーが、ＯＫキー５４であると判定するとＳ８ステップへ処理を進め、クリアキー５５とＯＫキー５４以外のキーであると判定するとそのキーの押下を無効にし、Ｓ３ステップへ処理を戻す。
尚、Ｓ３、Ｓ６〜Ｓ７ステップにおいて、テンキーを検出する構成を取り入れても良い。
以上説明したように、Ｓ１ステップ〜Ｓ７ステップを繰り返すことにより（ユーザが４回接触検知センサ５６上をなぞることにより）、４桁の一筆書きの形状のデータ（例えば、線や数字の形状）が第１バッファ７１に一時的に格納される。
Ｓ８ステップでは、制御回路３６は、情報の初期化を行う。例えば、制御回路３６内部に搭載されている第２バッファ７２をクリアし、Ｓ９ステップへ処理を進める。
Ｓ９ステップでは、制御回路３６は、入力部４４の操作があると判定するとＳ１２ステップへ処理を進め、接触検知センサ５６から入力操作があると判定するとＳ１０ステップへ処理を進める。
Ｓ１０ステップでは、ユーザが接触検知センサ５６上をなぞった一筆書きの形状のデータを制御回路３６の第２バッファ７２に一時的に格納し、Ｓ１〜Ｓ７ステップで第１バッファ７１に格納した一筆書きの形状のデータと照合する。具体的には、制御回路３６は、接触検知センサ５６から、指が触れた最初のポイントから指が離れるまで接触検知センサ５６上をなぞられた形状のデータを入力し、第２バッファ７２に格納する。例えば、図５の（ａ）に示すような「１」の数字がなぞられたらと判定すると、一筆書きで書かれた「１」の文字の形状のデータを制御回路３６の第２バッファ７２に格納し、第１バッファ７１に格納している形状のデータと照合する。
続くＳ１１ステップでは、制御回路３６は、上記Ｓ１０ステップで照合した結果のデータを第２バッファ７２に格納させ、Ｓ９ステップへ処理を進める。
このように、Ｓ９〜Ｓ１１ステップでは、例えば図５（ａ）〜（ｄ）に示すように、１桁ずつ暗証番号が入力されると、１桁ずつ第１バッファ７１に格納されている一筆書きの形状のデータと照合される（Ｓ３〜Ｓ５ステップで入力された形状のデータと照合される）又、その照合結果は第２バッファ７２に格納される。
Ｓ１２ステップでは、制御回路３６は、入力部４４からクリアキー５５が入力されたと判定するとＳ８ステップへ処理を戻し、そうでなければＳ１３ステップへ処理を進める。
Ｓ１３ステップでは、制御回路３６は、ＯＫキー５４の押下があると判定するとＳ１４ステップへ処理を進め、そうでなければ、Ｓ９ステップへ処理を戻す。
Ｓ１４ステップでは、制御回路３６は、第２バッファ７２に格納されている照合結果（Ｓ９〜Ｓ１１ステップで格納された照合結果）の４桁が全て一致すると判定したものであると判定すると、４桁の暗証番号をＲＯＭ３８に格納し暗証番号の登録を完了させ、一方、１桁でも不一致があると判定すると、ディスプレイ４２にエラー表示させ、登録失敗として処理を終了する。
このように、本実施例の暗証番号の登録動作では、Ｓ１〜Ｓ７ステップにおいて、ユーザが接触検知センサ５６上をなぞることにより４桁の形状が一筆書き単位で入力されると、その形状のデータが第１バッファ７１に一時的に格納される。続いて、Ｓ８〜Ｓ１５ステップにおいて、ユーザが再度接触検知センサ５６上をなぞることにより４桁の形状が入力されると、その一筆書きの形状のデータが第２バッファ７２に一時的に格納され、第１バッファ７１に格納された一筆書きの形状のデータと第２バッファ７２に格納された一筆書きの形状のデータが照合される。
照合の結果４桁全てが一致すると、第１バッファ７１（又は第２バッファ７２）に格納されている一筆書きの形状のデータが記憶手段である書換可能なＲＯＭ３８に格納され、登録が完了する。このように２度同じ形状（例えば暗証番号）を入力することにより、一度入力された暗証番号が正確に文字認識されるか否かを確認できる。
仮に、２度同じ暗証番号を入力して同一の番号であると認識されなかった場合には、その暗証番号は携帯電話装置が認識し難い数字（例えば、５と６等）である為、ユーザは他の認識しやすい番号を暗証番号として登録することができる。
ここで第１バッファ７１に記憶された登録時の形状と、第２バッファ７２に記憶された入力時の形状との照合は、例えば次のように行うことができる。
すなわち、まずユーザが指で「２」という文字をなぞると、指には幅があるので、接触検知センサ５６は細い線の接触を検出するのではなく、ある程度幅（指の幅）を持った線の接触を検出する。そこで、この指幅の中心に線が描かれたと判定する、即ち、描かれた線は図７Ａに示すＭ1(Ｌ１)であると判定する。しかし、この線を登録すると、再度全く同じ軌跡でユーザが線を描くのは困難である。この為、線にある程度のマージン領域（図７ＡのＡ１）を持たせている。このマージン領域は、ユーザの指の幅の約１０〜２０％ぐらいの幅を持っており、図７Ｂに示すようにこのマージン領域（Ａ１）にユーザの指幅の中心（Ｍ２（Ｌ２））が入るようにユーザが線を描くと、同じ文字が入力されたと判定するようになっている。
【０００７】
又、ユーザが、登録された形状と相似な形状（例えば、図７Ａの「２」の数字を拡大又は縮小した「２」）を入力した場合でも、一致する形状が入力されたと判定するようにすることができる。例えば、拡大された数字の「２」が入力された場合には、登録された線（図７ＡのＭ１）とマージン領域（図７ＡのＡ１）を拡大し、入力した数字（ユーザの指幅の中心で描かれた数字）との一致を見ることにより、一致する形状が入力されたかを判定することができる。一方、縮小された数字の「２」が入力された場合には、登録された線（図７ＡのＭ１）とマージン領域（図７ＡのＡ１）を縮小し、入力した数字（ユーザの指幅の中心で描かれた数字）との一致を見ることにより、一致する形状が入力されたかを判定することができる。
【０００８】
また、登録時の形状は指でなぞった形状、即ち指の幅ほどある線そのものを第１バッファ７１に記憶してもよいし、指でなぞった形状の頂点を結んだ外形形状を第１バッファに記憶してもよい。この場合、入力時の形状も同様に入力された形状の頂点を結んだ外形形状を第２バッファに記憶して一致度を判定する。この場合も外形形状の相似度を判定して一致度を判定する方法を採ることができる。
第１バッファ７１に記憶された登録時の形状と、第２バッファ７２に記憶された入力時の形状との照合方法はこれに限らず、他の周知の文字認識方法を採用しても良い。例えば、特開平０９−３４９９８号公報に記載されているように、入力された線の２値パターンを得て、この２値パターンを太め処理にて太めることにより、入力された形状の特徴を抽出する方法や、特開２０００−７６３８１号公報に記載されているように、筆記ストロークの始点と終点を仮想線分で連結し、入力された文字が何であるかを認識する方法等がある。
【０００９】
次に、装置をキーロック状態にした後の暗証番号の入力動作について以下に説明する。
【００１０】
図８は、キーロック解除を行うための形状のデータ（例えば番号）を入力する際の動作を示すフロー図である。
【００１１】
図８のＳ５１ステップでは、制御回路３６は、入力部４４からキーロック解除のための暗証番号入力動作を開始するよう指示があると判定すると、Ｓ５２ステップへ処理を進める。
【００１２】
Ｓ５２ステップでは、制御回路３６は、情報の初期化を行う。例えば、制御回路３６内部に搭載されている第１バッファ７１をクリアし、Ｓ５３ステップへ処理を進める。
【００１３】
Ｓ５３ステップでは、制御回路３６は、入力部４４の操作があると判定するとＳ５６ステップへ処理を進め、接触検知センサ５６から入力操作があると判定するとＳ５４ステップへ処理を進める。
Ｓ５４ステップでは、ユーザが接触検知センサ５６上をなぞった形状のデータ（例えば番号）を制御回路３６の第１バッファ７１に一時的に格納する。具体的には、制御回路３６は、回路基板５８を介して接触検知センサ５６から入力した信号に基づいて、例えば図５の（ａ）に示すような１の文字がなぞられたらと判定すると、１の文字の形状データを制御回路３６の第１バッファ７１に格納すると共に、格納した形状のデータとＲＯＭ３８に格納されている一筆書きの形状のデータとを比較して一致するか否かを判定する（照合する）。このように一筆書きで判定する。
【００１４】
キーロック解除の際に入力された形状とＲＯＭ３８に記憶された形状との一致判定は先に述べた登録時に第１バッファ７１に記憶された登録時の形状と、第２バッファ７２に記憶された入力時の形状との照合方法と同様にすることができる。
続くＳ５５ステップでは、制御回路３６は、上記Ｓ５５ステップで判定した照合結果を第１バッファ７１に格納し、Ｓ５３ステップへ処理を戻す。
Ｓ５６ステップでは、制御回路３６は、前記Ｓ５３ステップで入力されたキーが、クリアキー５５であると判定するとＳ５２ステップへ処理を戻し、そうでなければＳ５７ステップへ処理を進める。
Ｓ５７ステップでは、制御回路３６は、前記Ｓ５３ステップで入力されたキーが、ＯＫキー５４であると判定するとＳ５８ステップへ処理を進め、クリアキー５５とＯＫキー５４以外のキー入力であると判定するとそのキー入力を無効にし、Ｓ５３ステップへ処理を戻す。
Ｓ５８ステップでは、制御回路３６は、第１バッファ７１に格納されている照合結果（Ｓ５３〜Ｓ５５ステップで格納された照合結果）の４桁が全て一致すると判定したものであると判定すると、暗証番号が一致したと判定し、キーロックを解除し処理を終了する。一方、照合結果が１桁でも一致しないと判定すると、Ｓ５９ステップでエラー通知をし、処理を終了する。
このように、本実施例では、ユーザが接触検知センサ５６上をなぞることにより、暗証番号を入力することができる。この為、従来のテンキー操作により暗証番号を入力する方法に比べ、簡単に暗証番号を入力することができ、特にテンキー操作に不慣れなユーザにとって利便性の高いものである。又、１つの暗証番号を入力するのに、２タッチ以上必要な構成よりも、一筆書きの方が入力ミスが少なくて済む。
尚、本実施例では、接触検知センサ５６が検出したなぞられた形状を記憶する構成としたが、接触検知センサ５６が検出したなぞられた形状を、近似する文字や数字や記号等のデータに変換し、文字や数字や記号等のデータとして記憶する構成としても良い。このような構成とした場合、暗証番号が接触検知センサ５６により入力されると、入力された形状を番号等のデータに変換し、予めされた格納されている番号と一致するか否かを判定し、一致すればキーロックを解除する、といった構成とすることができる。
又、上記本実施例では、接触検知センサ５６を用いて入力するものは、番号に限定していたが、テンキー操作による入力であれ、接触検知センサ５６による入力であれ、暗証番号の入力によりキーロックを解除する構成である場合には、例えば、ユーザが４桁の暗証番号として、自分の生年月日や車のナンバーや連続する番号を登録する場合が多々あり、容易にキーロックを解除されてしまう可能性がある。このような問題を解決するために、例えば、暗証番号として、三角や丸や四角といった、一筆書きで書ける図形や、或いは文字、線、点、等としても良い。
更に、一筆書きで書いた数字や図形等の大きさは判定しないような構成としても良い。このような構成とすることにより、なかなか正確な暗証番号が入力されないといった問題を回避することができる。
更に、本実施例では形状が一致すればキーロックを解除する構成としているが、入力した形状とＲＯＭ３８に記憶した形状が完全に一致しなくとも、先に述べたようにある程度近似あるいは相似すれば正規な暗証番号が入力されたと判定する構成としても良い。又、入力された形状の大きさやパネルの位置が異なっていても、正規な暗証番号が入力されたと判定する構成としても良い。又、液晶表示部に接触検知を検出するセンサを設けてもよい。
尚、本実施例では携帯電話装置で実施したが、銀行のＡＴＭ（ＡＵＴＯＭＡＴＩＣ  ＴＥＬＬＥＲ  ＭＡＣＨＩＮＥ）や、ＰＤＡ（ＰＥＲＳＯＮＡＬ  ＤＩＧＩＴＡＬ  ＡＳＳＩＳＴＡＮＣＥ）等でも同様に実施可能である。
【図面の簡単な説明】
【００１５】
【図１】本発明を適用してなる実施例装置の斜視図である。
【図２】本実施例装置の使用形態を示す斜視図である。
【図３】本実施例装置のブロック図である
【図４】接触検知センサ５６近傍を示す断面図である。
【図５】本実施例装置の表示形態である。
【図６】本実施例の動作を示すフロー図である。
【図７】形状の照合を説明する為の図である。
【図８】本実施例の動作を示すフロー図である。
【符号の説明】
【００１６】
１０      携帯電話装置
３６      制御回路
４０      ＲＯＭ
４４      入力部
４８      テンキー
５６      接触検知センサ
７１      第１バッファ
７２      第２バッファ
【図１】
2008124525.tif 000003
【図２】
2008124525.tif 000004
【図３】
2008124525.tif 000005
【図４】
2008124525.tif 000006
【図５】
2008124525.tif 000007
【図６】
2008124525.tif 000008
【図７】
2008124525.tif 000009
【図８】
2008124525.tif 000010